(57)【要約】【課題】制御装置から切り離された場所で機能設定値やプログラム内容を記憶させた操件器を制御装置本体に戻して取付けただけで操件器の記憶内容が自動的に制御装置に取り込まれる分離可能なパソコン接続用通信ポート搭載操作器を備えた制御装置を提供する。【解決手段】制御装置１から切り離された場所でパソコン５に接続された操件器２の記憶部６に、パソコン５により制御装置１本体の機能設定値やプログラム内容のデータ内容８を記憶させ、その操作器２を制御装置１本体に戻して装着部３に取付けただけで、制御装置１の運転時の電源オンで、操件器２のデータ内容８に設定されている「自動書込み選択」の指示が読み取られ、操件器２のデータ内容８の中の機能設定値やプログラム内容が自動的に制御装置１に取り込まれ、記憶装置７の古いデータ内容９（図１(a) ）が新しいデータ内容９（図１(b) と置き換えられる。【選択図】    図１
2010081773.tif 000002
【特許請求の範囲】
【請求項１】
パソコンと接続可能な通信ポートを搭載し、制御装置の装着部から分離可能に構成された操作器を備え、
該操作器は、前記制御装置の前記装着部から分離され前記通信ポートを介して前記パソコンと接続されたとき、前記パソコンから入力される前記制御装置の機能設定値やプログム内容を記憶する記憶手段を有し、
前記制御装置は、前記操作器が前記装着部に装着され、前記制御装置本体に電源が投入されたとき、前記操作器の前記記憶手段に記憶されている前記機能設定値または前記プログラム内容を自動的に前記制御装置本体の所定の記憶領域に書き込む書込手段を有する、
ことを特徴とする制御装置。
【請求項２】
前記書込手段により前記操作器に記憶された機能設定値やプログラム内容が前記制御装置本体の所定の記憶領域に書き込まれた後における次回以降の電源投入時からは書き込み動作を禁止する禁止手段を更に備える、ことを特徴とする請求項１記載の制御装置。
【請求項３】
前記操作器の前記記憶手段に記憶されている前記機能設定値または前記プログラム内容を前記制御装置本体の所定の記憶領域に書き込むに際し、前記書込手段により自動的に書き込むか、手動操作で書き込むかを選択する選択手段を更に備えた、ことを特徴とする請求項１記載の制御装置。
【請求項４】
前記選択手段により、自動的に書き込むことが選択されたとき、前記書込手段により前記操作器に記憶された機能設定値やプログラム内容が前記制御装置本体の所定の記憶領域に書き込まれた後における次回以降の電源投入時からは書き込み動作を禁止する禁止手段を更に備える、ことを特徴とする請求項３記載の制御装置。
【発明の詳細な説明】
【技術分野】
【０００１】
本発明は、インバータ装置等の制御装置本体から分離可能に構成されパソコンに接続可能な通信ポートを搭載した操作器を備える制御装置に関する。
【背景技術】
【０００２】
従来、インバータ装置等の制御装置本体から分離可能に構成されパソコンに接続可能な通信ポートを搭載した操作器を備える制御装置においては、操作器を制御装置本体から分離してパソコンに接続し、そのパソコンから操作器のメモリに機能設定値やプログラム内容を記憶させる場合、操作器の電源をパソコンから供給することで、特別な電源を準備することなく操作器に記憶させることができる。その後、操作器を制御装置に装着し、制御装置に電源を入れ、操作器の記憶内容を手動で制御装置本体に書き込んでいた（例えば、特許文献１参照。）
【特許文献１】特開２００７−２２８７６４号公報
【発明の開示】
【発明が解決しようとする課題】
【０００３】
ところで、特許文献１の技術は、操作器を制御装置に対して着脱自在に構成し、制御装置とは独立に制御装置から離れた任意の場所で、制御装置にとって必要な機能設定値やプログラム内容を操作器に記憶させることができるという点で利便性の高いものであった。
【０００４】
しかし、上述したように、操作器に記憶された機能設定値やプログラム内容を制御装置本体に書き込む場合に、操作器を制御装置本体の装着部に装着し、制御装置本体に電源を接続し、操作器の記憶内容を手動で制御装置本体に書き込む、という面倒な作業が必要であるという問題が残されていた。
【０００５】
本発明の課題は、上記従来の実情に鑑み、制御装置から切り離された場所で操件器に制御装置本体の機能設定値やプログラム内容を記憶させ、その操作器を制御装置本体に取付けただけで、制御装置の運転時に操件器の記憶内容が自動的に取り込まれて制御装置の運転動作に反映される分離可能なパソコン接続用通信ポート搭載操作器を備えた制御装置を提供することである。
【課題を解決するための手段】
【０００６】
本発明の制御装置は、パソコンと接続可能な通信ポートを搭載し、制御装置の装着部から分離可能に構成された操作器を備え、該操作器は、上記制御装置の上記装着部から分離され上記通信ポートを介して上記パソコンと接続されたとき、上記パソコンから入力される上記制御装置の機能設定値やプログラム内容を記憶する記憶手段を有し、上記制御装置は、上記操作器が上記装着部に装着され、上記制御装置本体に電源が投入されたとき、上記操作器の上記記憶手段に記憶されている上記機能設定値または上記プログラム内容を自動的に上記制御装置本体の所定の記憶領域に書き込む書込手段を有するように構成される。
【０００７】
この制御装置において、例えば、上記操作器の上記記憶手段に記憶されている上記機能設定値または上記プログラム内容を上記制御装置本体の所定の記憶領域に書き込むに際し、上記書込手段により自動的に書き込むか、手動操作で書き込むかを選択する選択手段を更に備えて構成される。
【０００８】
この場合、例えば、上記選択手段により、自動的に書き込むことが選択されたとき、上記書込手段により上記操作器に記憶された機能設定値やプログラム内容が上記制御装置本体の所定の記憶領域に書き込まれた後における次回以降の電源投入時からは書き込み動作を禁止する禁止手段を更に備えるように構成される。
【発明の効果】
【０００９】
本発明によれば、制御装置から切り離された場所で操件器に制御装置本体の機能設定値やプログラム内容を記憶させ、その操作器を制御装置本体に取付けただけで、制御装置の運転時に操件器の記憶内容が自動的に取り込まれて制御装置の運転動作に反映される分離可能なパソコン接続用通信ポート搭載操作器を備えた制御装置を提供することが可能となる。
【発明を実施するための最良の形態】
【００１０】
以下、本発明の実施の形態を図面に基づいて詳細に説明する。
【実施例１】
【００１１】
図１(a) は、本発明の実施例１としての全体構成を示す図であり、図１(b) は、その制御装置の装着部に装着された操作器から制御装置の記憶装置に転送されたデータ構成の例を示す図である。
【００１２】
図１(a) に示すように、インバータ装置等の制御装置１は、制御装置１から分離可能なタッチパネル等の操作器２を備える。制御装置１には、操作器２の設置部分として点線で示す装着部３が設けられている。
【００１３】
操作器２は、この装着部３に対し矢印ａ及びｂで示すように着脱自在に構成されている。そして、装着部３には、操作器２を装着したとき操作器２が制御装置１本体と電気的に接続するためのコネクタ等が設けられている。尚、図１(a) は、操作器２が制御装置１本体から取り外された様子を示している。
【００１４】
この操作器２は、インバータ装置の運転状態やパラメータ等の設定状態等を表示する表示部と、パラメータの設定や運転，停止の指令等を行なう入力部等を備えている。さらに、操作器２は、パーソナルコンピュータ（パソコン）５に接続するためのパソコン接続用の通信ポート４を備えている。通信ポート４は、例えばＵＳＢ（Universal Serial Bus）ポートで実現される。ＵＳＢ通信規格では、パソコン側から接続機器に電源を供給することが可能である。
【００１５】
すなわち、図１(a) に示すように、制御装置１本体から取り外された操作器２をパソコン５に接続したときに、パソコン５から操作器２に電源が供給される。また、この通信ポート４を介して接続される操作器２とパソコン５との間の通信には、通信が正常であるか否かのテストをする機能が備えられている。
【００１６】
また、操作器２には、パソコン５から通信ポート４を介して入力される制御装置１の機能設定値（例えば、制御定数や電動機定数等の各種のパラメータ）や電動機の制御を行うためのプログラム内容（ソースプログラム又はオブジェクトプログラム）を記憶する例えばＥＥＰＲＯＭ（(electrically erasable programable ROM)）等から成る記憶部６を備えている。
【００１７】
そして、制御装置１は、操作器２の記憶部６の記憶内容を読み込んで記憶し、その記憶した内容を自装置の動作に反映させるための記憶装置７を備えている。
図１(a) には、１例として、操作器２の記憶部６に記憶されるデータ内容８を「機能設定１」、「機能設定２」、・・・、「自動書込み選択」等と簡略に示し、制御装置１の記憶装置７に記憶されるデータ内容９には、まだ操作器２の記憶部６からデータが転送されていない場合、つまり更新前のデータである「機能設定１Ａ」、「機能設定２Ａ」、・・・等が記憶されている状態を示している。
【００１８】
また、本実施例では、図１(a) に示すように制御装置１本体から取り外された操作器２をパソコン５に接続して、パソコン５からデータ内容８に示すようなデータを操作器２に入力して記憶部６に記憶させる方法について簡略に説明する。
【００１９】
先ず、設備管理者等の利用者は、制御装置１から操作器２を取り外し、設定作業に適した場所などでパソコン５と操作器２を接続する。利用者は、パソコン５上の制御装置１設定用のアプリケーションソフトウェアなどを用いて制御装置１の動作設定を行う。
【００２０】
この設定では、例えば、パソコン５の表示画面上に設定画面を表示させ、制御装置１の動作パラメータを設定する。利用者は制御装置１の動作に関わる複数のパラメータ（機能設定１、機能設定２、・・・）を、パソコン５のキーボードやマウスなどの入力手段を用いて、設定画面の入力空欄に数値を指定し、書込ボタンを押す。
【００２１】
このとき、書込ボタンを押す前に、設定画面の他の入力空欄に、例えば図１のデータ内容８に示すように「自動書込み選択」を設定して、書込ボタンを押す。
これにより、指定されたパラメータ値や制御プログラムや自動書込み選択などの条件などがパソコン５から通信ポート４を介して、操作器２内の記憶部６に書き込まれる。尚、パソコン５と操作器２を接続している間、操作器２にはパソコン５から通信ポート４を介して電源が供給される。
【００２２】
次に、上記のようにして操作器２内の記憶部６に書き込まれた（記憶された）パラメータ値や制御プログラムが、自動書込み選択などの条件に基づいて、制御装置１の記憶装置７に書き込まれる（記憶される）処理について説明する。
【００２３】
図２は、実施例１における制御装置１において装着部３に操作器２が装着されたときの制御装置１の処理動作を説明するフローチャートである。なお、この処理に先立って、本例においては、制御装置１の電源がオンであるかオフであるかに係わり無く、上記のように記憶部６に所定のデータが書き込まれ操作器２が、制御装置１の装着部３に装着されていることが前提としている。
【００２４】
図２において、制御装置１の電源がオンになると処理が開始される（ステップＳ１）。尚、制御装置１の電源が最初からオンになっているときは、装着部３に操作器２が装着された時点で直ちに処理が開始される。
【００２５】
先ず、操作器２の記憶部６に記憶されているデータ内容８が検索される。そして、そのデータ内容の自動書込みが選択されているか否かが判別される（ステップＳ２）。この処理では、操作器２の記憶部６に記憶されているデータ内容８において、図１(a) に示すように「自動書込み選択」の記述がなされているかを判別する処理である。
【００２６】
そして、「自動書込み選択」の記述があれば（Ｓ２がＹｅｓ）、続いて既に制御装置１の記憶装置７に操作器２のメモリ内容が書き込まれているか否かを判別する（ステップＳ３）。この処理は、図１(a) に示す操作器２の記憶部６のメモリ内容（データ内容８）が、制御装置１の記憶装置７に、図１(b) に示すように転送されて更新されているか又は図１(a) に示すように更新前のデータのままであるかを判別する処理である。
【００２７】
そして、操作器２の記憶部６のメモリ内容（データ内容８）が、制御装置１の記憶装置７に、まだ転送されていないときは（Ｓ３がＮｏ）、操作器２の記憶部６に記憶されているデータ内容８（制御装置１の機能設定値、プログラム内容等）を制御装置１本体の記憶装置７に書き込む（ステップＳ４）。
【００２８】
これにより、制御装置１本体の記憶装置７に、図１(b) に示すように、操作器２の記憶部６のメモリ内容（データ内容８）が転送されて、制御装置１のデータ内容９が更新される。
【００２９】
続いて、制御装置１は、記憶装置７に書き込まれているデータ内容９に従って処理を開始する（ステップＳ５）。これにより、記憶装置７に書き込まれているデータ内容９（複数のパラメータ値や制御プログラム）に従って、制御装置１の動作が始動する。
【００３０】
尚、この場合は、記憶装置７に書き込まれているデータ内容９は、操作器２の記憶部６のメモリ内容（データ内容８）が転送されたものである。
また、上記Ｓ３の判別で、既に制御装置１に操作器２の記憶部６のデータ内容が書き込まれているときは（Ｓ３がＹｅｓ）、直ちに、ステップＳ５の処理に移行する。
【００３１】
このように、制御装置１は、電源がオンのとき、操作器２の記憶部６のデータ内容を自動的に読み取る機能を備えており、記憶部６のデータ内容に「自動書込み選択」が設定されているときには、最初に制御装置１電源を入れた時は、操作器２に書き込まれているデータ内容８が自動的に制御装置１本体にデータ内容９として書き込まれ、再度電源が投入された際は、既に制御装置１本休に操作器２と同じデータ内容８が、データ内容９として書き込まれているため、そのデータ内容の書込み動作は行われない。
【００３２】
また、上記Ｓ２の判別で、操作器２の記憶部６に記憶されているデータ内容８において、図１(a) に示すような「自動書込み選択」の記述がない場合は（Ｓ２がＮｏ）、直ちにステップＳ５の処理を行う。この場合は、記憶装置７に書き込まれているデータ内容９は、図１(a) に示すような、以前から記憶装置７に書き込まれていた更新前の古いデータである。この場合は、制御装置１は更新前の古いデータ（更新前の複数のパラメータ値や制御プログラム）に従って動作を始動させることになる。
【実施例２】
【００３３】
図３は、実施例２における２回目以降の電源投入で自動書込み動作をしないための処理を示すフローチャートである。図３において、ステップＳ１０、Ｓ１１及びＳ１２の処理は、図２のステップＳ１、Ｓ２及びＳ４の処理と同一である。
【００３４】
本例においては、図３のステップＳ１２の処理に続いて、自動書き込みを解除する（ステップＳ１３）。この処理は、操作器２の記憶部６に記憶されているデータ内容８における「自動書込み選択」の設定を無効にする（解除する）処理である。
【００３５】
そして、上記のステップＳ１３の処理の後、又はステップＳ１１の判別がＮｏであるときは、ステップＳ１４の処理に移る。このステップＳ１４の処理は、図２のステップＳ５の処理と同一である。
【００３６】
但し、本例の場合は、ステップＳ１３の処理の後でステップＳ１４の処理で始動する動作も、ステップＳ１１の判別がＮｏであってステップＳ１４の処理で始動する動作も、操作器２の記憶部６から転送されたデータ内容８によるデータ内容９に従った動作となる。
【００３７】
図４は、本例における図３のステップＳ１３の処理の直後、又はステップＳ１１の判別でＮｏとなった場合の、操作器２の記憶部６のデータ内容８を示している。この図４に示すデータ内容８には、図１(a) に示したデータ内容８の「自動書込み選択」の設定が消されて、設定が無効になっていることが分かる。
【００３８】
このように、実施例２では、最初に操作器２のメモリの内容を制御装置１本体に書き込んだときに、自動書込み選択の設定を解除することで、次に制御装置１に電源を入れたときは、操作器２のメモリの内容は書き込まれなくなる。また、この場合は、「自動書込み選択」の設定が有効か否かを知ることで、既に同じ内容が書き込まれたかどうかを容易に判定することができる。
【００３９】
以上のように本発明において、制御装置は該装置から分離可能な操作器を備え、該操作器はパソコンとの通信を可能とする通信手段を備え、操作器を制御装置本体から分離して制御装置の設置場所とは異なる場所でパソコンに接続して制御装置本体の機能設定値やプログラム内容を操作器に記憶させ、その操作器を制御装置本体に戻してに取付けただけで、制御装置本体に書き込むための特別な操作をすることなく制御装置に電源を投入しただけで、操作器に記憶された機能設定値やプログラム内容を制御装置本体に自動的に書き込むことが可能となる。
【００４０】
このように、設備管理者などの利用者は設定作業を該作業に適した場所で行うことが可能であるため、設定作業の効率を上げることが可能である。また、本発明によれば、パソコンによる設定作業中は、操作器は制御装置本体から分離されているため制御装置全体に電源を供給する必要はない。
【００４１】
更に、操作器にはパソコンから電源が供給されるように構成されているため、操作器自身に電源プラグなどの電源に関わる設備を備える必要はない。
以上、本発明の制御装置について詳細に説明したが、本発明は以上に述べたことに限定されるものではない。例えば、上記説明では、設定の際に制御装置と操作器を分離し、制御装置とは別の場所で設定を行うと述べたが、操作器を制御装置上に設置したままパソコンと接続して設定作業を行ってもかまわない。
【００４２】
この他にも本発明の要旨を逸脱しない範囲で様々の構成、または形状をつくることができることはいうまでもない。
尚、上述した実施例１及び２においては、制御装置については単に「制御装置」とのみ記載したが、具体的に制御装置としては、例えばインバータ装置、プログラマブルコントローラ等が適用される。また、それらの装置のみに留まらず、本発明の解決しようとする課題と同様の課題を抱える制御装置に対して応用が可能である。
【図面の簡単な説明】
【００４３】
【図１】(a) は本発明の実施例１としての全体構成を示す図であり、(b) はその制御装置の装着部に装着された操作器から制御装置の記憶装置に転送されたデータ構成の例を示す図である。
【図２】実施例１における制御装置において装着部に操作器が装着されたときの制御装置の処理動作を説明するフローチャートである。
【図３】実施例２における２回目以降の電源投入で自動書込み動作をしないための処理を示すフローチャートである。
【図４】実施例２におけるステップＳ１３の処理の直後又はステップＳ１１の判別でＮｏとなった場合の操作器の記憶部のデータ内容を示す図である。
【符号の説明】
【００４４】
１      制御装置
２      操作器
３      装着部
４      通信ポート（パソコン接続用）
５      パーソナルコンピュータ（パソコン）
６      記憶部
７      記憶装置
８、９  データ内容
【図１】
2010081773.tif 000003
【図２】
2010081773.tif 000004
【図３】
2010081773.tif 000005
【図４】
2010081773.tif 000006